(57)【要約】【課題】船舶に係る部品の部品メーカーが前記部品を納品した管理倉庫から、前記部品の搬送先である船舶までの搬送経路上における前記部品の搬送状態を管理する物流情報管理システム、物流情報管理装置及びコンピュータプログラムを提供する。【解決手段】船舶４，４…を所有する船主が、船舶４，４…に必要な部品を部品メーカーに注文した際の注文情報を船主側コンピュータ２を用いて物流情報管理システム１００に入力し、物流情報管理センタの管理者が、船主からの注文に応じて部品メーカーから納品された際の納品情報をセンタ側コンピュータ１を用いて物流情報管理システム１００に入力し、管理倉庫の管理者は、管理倉庫への部品の出入庫情報を倉庫側コンピュータ３を用いて物流情報管理システム１００に入力する。センタ側コンピュータ１は、夫々受信した情報を管理し、外部からの要求に応じて各部品の搬送状態を示す物流データを提供する。【選択図】        図１
2005022790.tif 000002
【特許請求の範囲】
【請求項１】
船舶に係る物品を注文する注文主の第１コンピュータと、注文主からの注文に従って前記物品を販売する販売業者から納品され、１又は複数の管理倉庫を経由する搬送経路に沿って前記船舶へ搬送される前記物品の搬送情報を管理する第２コンピュータとをネットワークを介して接続してなる物流情報管理システムにおいて、
前記第１コンピュータは、
注文主が注文した物品に関する注文情報を受け付ける第１受付手段と、
該第１受付手段が受け付けた注文情報を前記第２コンピュータに送信する手段とを備え、
前記第２コンピュータは、
注文主からの注文に従って販売業者が納品した物品に関する納品情報を受け付ける第２受付手段と、
前記第１コンピュータが送信した注文情報及び前記第２受付手段が受け付けた納品情報に基づいて、前記搬送経路を決定する決定手段と、
該決定手段が決定した搬送経路に沿って搬送される前記物品の搬送情報を取得する取得手段と、
該取得手段が取得した搬送情報を記憶する記憶手段とを備えることを特徴とする物流情報管理システム。
【請求項２】
前記搬送経路上の管理倉庫への前記物品の出入庫情報を受け付ける第３受付手段と、
該第３受付手段が受け付けた出入庫情報を前記第２コンピュータに送信する手段とを有する第３コンピュータを更に備え、
前記取得手段は、前記第３コンピュータが送信した出入庫情報を取得するように構成してあることを特徴とする請求項１に記載の物流情報管理システム。
【請求項３】
前記注文情報は、前記物品の搬送先を含んでおり、
前記納品情報は、前記物品の納品先を含んでおり、
前記決定手段は、前記納品情報に含まれる納品先及び前記注文情報に含まれる搬送先に基づいて、前記納品先から搬送先までの搬送経路を決定するように構成してあることを特徴とする請求項１又は２に記載の物流情報管理システム。
【請求項４】
前記第１コンピュータは、
前記物品の搬送先が変更された変更注文情報を受け付ける変更受付手段と、
該変更受付手段が受け付けた変更注文情報を前記第２コンピュータに送信する手段とを備え、
前記決定手段は、前記記憶手段に記憶してある前記物品の搬送情報及び前記第１コンピュータが送信した変更注文情報に基づいて、前記物品を搬送する搬送経路を変更する手段を備えることを特徴とする請求項１乃至３のいずれかに記載の物流情報管理システム。
【請求項５】
複数の管理倉庫間において予め設定された搬送経路を示す経路情報を記憶する経路記憶手段を備え、
前記決定手段は、前記経路記憶手段に記憶してある経路情報に基づいて、前記搬送経路を決定するように構成してあることを特徴とする請求項１乃至４のいずれかに記載の物流情報管理システム。
【請求項６】
前記第２コンピュータは、
外部からの要求に応じた搬送情報を、前記記憶手段から読み出して提供する手段を備えることを特徴とする請求項１乃至５のいずれかに記載の物流情報管理システム。
【請求項７】
注文主の注文に従って船舶に係る物品を販売する販売業者から納品され、１又は複数の管理倉庫を経由する搬送経路に沿って前記船舶へ搬送される前記物品の搬送情報を管理する物流情報管理装置において、
注文主が注文した物品に関する注文情報を受け付ける第１受付手段と、
注文主からの注文に従って販売業者が納品した物品に関する納品情報を受け付ける第２受付手段と、
前記第１受付手段が受け付けた注文情報及び前記第２受付手段が受け付けた納品情報に基づいて、前記搬送経路を決定する決定手段と、
該決定手段が決定した搬送経路に沿って搬送される前記物品の搬送情報を取得する取得手段と、
該取得手段が取得した搬送情報を記憶する記憶手段と、
外部からの要求に応じた搬送情報を、前記記憶手段から読み出して提供する手段とを備えることを特徴とする物流情報管理装置。
【請求項８】
前記取得手段は、前記搬送経路上の管理倉庫への前記物品の出入庫情報を取得するように構成してあることを特徴とする請求項７に記載の物流情報管理装置。
【請求項９】
前記注文情報は、前記物品の搬送先を含んでおり、
前記納品情報は、前記物品の納品先を含んでおり、
前記決定手段は、前記納品情報に含まれる納品先及び前記注文情報に含まれる搬送先に基づいて、前記納品先から搬送先までの搬送経路を決定するように構成してあることを特徴とする請求項７又は８に記載の物流情報管理装置。
【請求項１０】
前記物品の搬送先が変更された変更注文情報を受け付ける変更受付手段を備え、
前記決定手段は、前記記憶手段に記憶してある前記物品の搬送情報及び前記変更受付手段が受け付けた変更注文情報に基づいて、前記物品を搬送する搬送経路を変更する手段を備えることを特徴とする請求項７乃至９のいずれかに記載の物流情報管理装置。
【請求項１１】
コンピュータに、注文主の注文に従って船舶に係る物品を販売する販売業者から納品され、１又は複数の管理倉庫を経由する搬送経路に沿って前記船舶へ搬送される前記物品の搬送情報を管理させるためのコンピュータプログラムにおいて、
コンピュータに、注文主が注文した物品に関する注文情報を受け付けさせる手順と、
コンピュータに、注文主からの注文に従って販売業者が納品した物品に関する納品情報を受け付けさせる手順と、
コンピュータに、受け付けた前記注文情報及び納品情報に基づいて、前記搬送経路を決定させる手順と、
コンピュータに、決定した搬送経路に沿って搬送される前記物品の搬送情報を取得させる手順と、
コンピュータに、取得した搬送情報を記憶させる手順と、
コンピュータに、外部からの要求に応じた搬送情報を提供させる手順とを備えることを特徴とするコンピュータプログラム。
【発明の詳細な説明】
【０００１】
【発明の属する技術分野】
本発明は、船主等の注文主からの注文に従って船舶に係る物品を販売する販売業者から納品された前記物品を前記船舶まで搬送する際の搬送情報を管理する物流情報管理システム、物流情報管理装置及びコンピュータプログラムに関するものである。
【０００２】
【従来の技術】
世界各国に亘って貨物を輸送する船舶は、燃料の供給、貨物の積み下ろし、又は新たな貨物の積み入れ等を行なう港を考慮して、各貨物の発注者、及び、各貨物を製造するメーカー又は販売する販売業者間において決定された最適な輸送経路に従って各貨物の輸送を行なっている。
また、船舶がこのような輸送経路に従って輸送する貨物について、輸送される輸送経路上の現在位置を管理するシステムが提案されており（例えば、特許文献１参照）、このようなシステムを利用することにより、貨物の発注者、貨物のメーカー及び販売業者が貨物の現在位置を把握することができるため、貨物の発注者への引渡し日程を容易に把握することができる。
【０００３】
【特許文献１】
特開２００２−６００２６号公報
【０００４】
【発明が解決しようとする課題】
一方、上述したような船舶は、例えば、船舶のエンジン部品、荷役装置、レーダー、及び無線機等のように、故障又は老朽化することにより取り替える必要が生じる部品を備えており、このような船舶が必要とする部品は、各船舶の貨物の輸送業務を妨げず、各船舶の輸送経路において停泊する港にて各船舶に積み込まれるように、当該港まで搬送される必要がある。
しかし、上述したような船舶は、各貨物の輸送日程の変更、世界情勢等によって輸送経路を変更する場合があり、急遽変更された輸送経路上において、各船舶が停泊する港に適切に各部品を搬送することは困難である。また、各部品のメーカー及び販売業者は、世界各国に点在しており、更に、船舶についても、夫々の輸送経路上に複数点在しているため、全ての部品について、適切な船舶への搬送処理を確実に管理することは非常に困難であるという問題があった。
【０００５】
本発明は以上のような事情に鑑みてなされたものであり、注文主が注文した船舶に係る物品に関する注文情報と、注文主からの注文に従って販売業者が納品した物品に関する納品情報とに基づいて決定された搬送経路に沿って搬送される前記物品の搬送情報を確実に管理する物流情報管理システム、物流情報管理装置、及びコンピュータを該物流情報管理装置として動作させるためのコンピュータプログラムを提供することを目的とする。
【０００６】
【課題を解決するための手段】
本発明に係る物流情報管理システムは、船舶に係る物品を注文する注文主の第１コンピュータと、注文主からの注文に従って前記物品を販売する販売業者から納品され、１又は複数の管理倉庫を経由する搬送経路に沿って前記船舶へ搬送される前記物品の搬送情報を管理する第２コンピュータとをネットワークを介して接続してなる物流情報管理システムにおいて、前記第１コンピュータは、注文主が注文した物品に関する注文情報を受け付ける第１受付手段と、該第１受付手段が受け付けた注文情報を前記第２コンピュータに送信する手段とを備え、前記第２コンピュータは、注文主からの注文に従って販売業者が納品した物品に関する納品情報を受け付ける第２受付手段と、前記第１コンピュータが送信した注文情報及び前記第２受付手段が受け付けた納品情報に基づいて、前記搬送経路を決定する決定手段と、該決定手段が決定した搬送経路に沿って搬送される前記物品の搬送情報を取得する取得手段と、該取得手段が取得した搬送情報を記憶する記憶手段とを備えることを特徴とする。
【０００７】
本発明に係る物流情報管理システムは、前記搬送経路上の管理倉庫への前記物品の出入庫情報を受け付ける第３受付手段と、該第３受付手段が受け付けた出入庫情報を前記第２コンピュータに送信する手段とを有する第３コンピュータを更に備え、前記取得手段は、前記第３コンピュータが送信した出入庫情報を取得するように構成してあることを特徴とする。
【０００８】
本発明に係る物流情報管理システムは、前記注文情報は、前記物品の搬送先を含んでおり、前記納品情報は、前記物品の納品先を含んでおり、前記決定手段は、前記納品情報に含まれる納品先及び前記注文情報に含まれる搬送先に基づいて、前記納品先から搬送先までの搬送経路を決定するように構成してあることを特徴とする。
【０００９】
本発明に係る物流情報管理システムは、前記第１コンピュータは、前記物品の搬送先が変更された変更注文情報を受け付ける変更受付手段と、該変更受付手段が受け付けた変更注文情報を前記第２コンピュータに送信する手段とを備え、前記決定手段は、前記記憶手段に記憶してある前記物品の搬送情報及び前記第１コンピュータが送信した変更注文情報に基づいて、前記物品を搬送する搬送経路を変更する手段を備えることを特徴とする。
【００１０】
本発明に係る物流情報管理システムは、複数の管理倉庫間において予め設定された搬送経路を示す経路情報を記憶する経路記憶手段を備え、前記決定手段は、前記経路記憶手段に記憶してある経路情報に基づいて、前記搬送経路を決定するように構成してあることを特徴とする。
【００１１】
本発明に係る物流情報管理システムは、前記第２コンピュータは、外部からの要求に応じた搬送情報を、前記記憶手段から読み出して提供する手段を備えることを特徴とする。
【００１２】
本発明に係る物流情報管理装置は、注文主の注文に従って船舶に係る物品を販売する販売業者から納品され、１又は複数の管理倉庫を経由する搬送経路に沿って前記船舶へ搬送される前記物品の搬送情報を管理する物流情報管理装置において、注文主が注文した物品に関する注文情報を受け付ける第１受付手段と、注文主からの注文に従って販売業者が納品した物品に関する納品情報を受け付ける第２受付手段と、前記第１受付手段が受け付けた注文情報及び前記第２受付手段が受け付けた納品情報に基づいて、前記搬送経路を決定する決定手段と、該決定手段が決定した搬送経路に沿って搬送される前記物品の搬送情報を取得する取得手段と、該取得手段が取得した搬送情報を記憶する記憶手段と、外部からの要求に応じた搬送情報を、前記記憶手段から読み出して提供する手段とを備えることを特徴とする。
【００１３】
本発明に係る物流情報管理装置は、前記取得手段は、前記搬送経路上の管理倉庫への前記物品の出入庫情報を取得するように構成してあることを特徴とする。
【００１４】
本発明に係る物流情報管理装置は、前記注文情報は、前記物品の搬送先を含んでおり、前記納品情報は、前記物品の納品先を含んでおり、前記決定手段は、前記納品情報に含まれる納品先及び前記注文情報に含まれる搬送先に基づいて、前記納品先から搬送先までの搬送経路を決定するように構成してあることを特徴とする。
【００１５】
本発明に係る物流情報管理装置は、前記物品の搬送先が変更された変更注文情報を受け付ける変更受付手段を備え、前記決定手段は、前記記憶手段に記憶してある前記物品の搬送情報及び前記変更受付手段が受け付けた変更注文情報に基づいて、前記物品を搬送する搬送経路を変更する手段を備えることを特徴とする。
【００１６】
本発明に係るコンピュータプログラムは、コンピュータに、注文主の注文に従って船舶に係る物品を販売する販売業者から納品され、１又は複数の管理倉庫を経由する搬送経路に沿って前記船舶へ搬送される前記物品の搬送情報を管理させるためのコンピュータプログラムにおいて、コンピュータに、注文主が注文した物品に関する注文情報を受け付けさせる手順と、コンピュータに、注文主からの注文に従って販売業者が納品した物品に関する納品情報を受け付けさせる手順と、コンピュータに、受け付けた前記注文情報及び納品情報に基づいて、前記搬送経路を決定させる手順と、コンピュータに、決定した搬送経路に沿って搬送される前記物品の搬送情報を取得させる手順と、コンピュータに、取得した搬送情報を記憶させる手順と、コンピュータに、外部からの要求に応じた搬送情報を提供させる手順とを備えることを特徴とする。
【００１７】
本発明による場合は、注文主が注文した船舶に係る物品に関する注文情報を受け付けた注文主の第１コンピュータが、受け付けた注文情報を第２コンピュータに送信する。第２コンピュータは、注文主からの注文に従って販売業者が納品した前記物品に関する納品情報を受け付け、受け付けた納品情報及び第１コンピュータから受信した注文情報に基づいて、前記物品を船舶まで搬送する搬送経路を決定する。また、第２コンピュータは、決定された前記搬送経路に沿って搬送される前記物品の搬送情報を取得して管理しており、外部からの要求に応じて搬送情報を提供することにより、例えば、物品の注文主又は販売業者が、自身が所有する装置にて、各物品の前記船舶までの搬送経路上の搬送状態を把握することができるとともに、前記物品の搬送経路上における管理処理を軽減することができる。
【００１８】
本発明による場合は、注文主が注文した物品が搬送される搬送経路上の管理倉庫への前記物品の出入庫情報を受け付けた第３コンピュータが、受け付けた出入庫情報を第２コンピュータに送信し、第２コンピュータが、受信した出入庫情報を記憶して管理しておくことにより、各物品の前記船舶までの搬送経路上の現在位置とともに、搬送経路上の管理倉庫における各物品の管理状態を確実に把握することができる。
【００１９】
本発明による場合は、第２コンピュータが取得する注文情報は各物品の搬送先を含んでおり、納品情報は各物品の納品先を含んでおり、第２コンピュータが、前記納品情報に含まれる納品先から、前記注文情報に含まれる搬送先までの搬送経路を決定することにより、前記部品の販売業者より前記物品を納品された管理倉庫から、前記物品を提供すべき船舶までの搬送経路を効率よく決定することができる。
【００２０】
また、本発明による場合は、例えば、当該物品を搬送すべき搬送先である船舶において、該船舶が輸送している貨物の輸送経路が急遽変更等され、前記物品を搬送すべき搬送先が変更された場合に、この搬送先が変更された変更注文情報を注文主の第１コンピュータが受け付け、受け付けた変更注文情報を第２コンピュータに送信する。第２コンピュータが、受信した変更注文情報及び当該物品の搬送情報が示す現在位置に基づいて前記物品を搬送すべき搬送経路を変更することにより、先立って決定された搬送経路に沿って搬送中の物品においても、搬送経路の変更が可能となり、急遽変更された輸送経路上の港において、対応する船舶への前記物品の提供を行なうことができる。
【００２１】
更に、本発明による場合は、第２コンピュータが、予め設定された複数の管理倉庫間における搬送経路を示す経路情報を記憶しておき、上述したような各物品の搬送経路を、前記経路情報に基づいて決定することにより、各物品の搬送経路の決定処理を簡略化することができる。
【００２２】
本発明による場合は、コンピュータにて構成される物流情報管理装置が、上述したような注文情報、納品情報、管理倉庫への出入庫情報を取得し、また、各物品の搬送経路の決定処理等を行なうことにより、上述した第１コンピュータ、第２コンピュータ、及び第３コンピュータを１つのコンピュータにて実現することも可能であり、また、前記物流情報管理装置としての動作を実現するためのコンピュータプログラムを汎用品であるパーソナルコンピュータに読み込ませて実行させることにより、パーソナルコンピュータにおいても同様の機能を実現することができる。
【００２３】
【発明の実施の形態】
以下に、本発明に係る物流情報管理システムについて、その実施の形態を示す図面に基づいて詳述する。図１は本発明に係る物流情報管理システムの構成を示す模式図であり、図中１００は本発明の物流情報管理システムを示している。
この物流情報管理システム１００は、複数の船舶４，４…を管理する船主（注文主）が所有する第１コンピュータとしてのコンピュータ（以下、船主側コンピュータという）２，２…と、船主が注文する船舶４，４…に必要な部品（船舶に係る物品）を製造又は販売する部品メーカー又は販売業者から納品され、対応する船舶４，４…まで搬送される部品の搬送情報を管理する物流情報管理センタが所有する第２コンピュータとしてのコンピュータ（以下、センタ側コンピュータという）１とを、ＴＣＰ／ＩＰ（Ｔｒａｎｓｍｉｓｓｉｏｎ  Ｃｏｎｔｒｏｌ  Ｐｒｏｔｏｃｏｌ  ／  Ｉｎｔｅｒｎｅｔ  Ｐｒｏｔｏｃｏｌ  ）等の通信プロトコルを用いるインターネット等のネットワークＮを介して接続することにより構成されている。
【００２４】
また、ネットワークＮには、部品メーカーから納品された部品が搬送される搬送経路上において、前記部品を一時的に保存する管理倉庫が所有する第３コンピュータとしてのコンピュータ（以下、倉庫側コンピュータという）３，３…が更に接続されている。
尚、部品の搬送情報を管理する物流情報管理センタは、部品メーカーから納入された部品を対応する船舶４，４…まで搬送する運送業者が管理するものであり、また、船主が注文する船舶４，４…に係る物品には、エンジン部品、レーダー、及び無線機等のように船舶４，４…の動作に必要な部品、及びカーゴクレーン等の荷役に係る装置、キッチン部品等の船舶４，４…に搭載されている各種の部品が含まれる。
【００２５】
図２及び図３は本発明に係る物流情報管理システム１００の構成を示すブロック図であり、図２にセンタ側コンピュータ１及び船主側コンピュータ２の構成を、図３に倉庫側コンピュータ３の構成を夫々示している。
また、図４及び図５はセンタ側コンピュータ１が提供する各ウェブページの構成例を示しており、図４（ａ）に注文情報入力画面例を、図４（ｂ）に変更注文情報入力画面例を、図４（ｃ）に納品情報入力画面例を、図５（ａ）に入庫情報入力画面例を、図５（ｂ）に出庫情報入力画面例を、図５（ｃ）に出荷指示情報入力画面例を夫々示している。
【００２６】
センタ側コンピュータ１は、図２に示すように、ＣＰＵ（Ｃｅｎｔｒａｌ  Ｐｒｏｃｅｓｓｉｎｇ  Ｕｎｉｔ）１０、ハードディスク（以下、ＨＤという）１１、ＲＡＭ１２、キーボード１３、マウス１４、ディスプレイ１５、ネットワークＮを介して通信を行うための通信インタフェース１６、ＣＤ−ＲＯＭドライブ等の外部記憶装置１８等を備えている。
ＣＰＵ１０は、バス１７を介して上述したようなハードウェア各部と接続しており、バス１７を介して上述したハードウェア各部を制御すると共に、ＨＤ１１に格納されたコンピュータプログラムを順次実行する。
【００２７】
ＨＤ１１は、センタ側コンピュータ１としての動作に必要な種々のコンピュータプログラム（図示せず）、センタ側コンピュータ１が管理する各種のデータを他のコンピュータへ提供するためのウェブページ、及び所望のウェブページを取得するウェブ閲覧処理プログラムであるウェブブラウザ等を記憶している。尚、ＣＰＵ１０がＨＤ１１に記憶してあるウェブブラウザを実行することにより、ＨＤ１１に記憶してあるウェブページを閲覧することが可能である。
ＲＡＭ１２は、ＳＲＡＭ，ＤＲＡＭ，フラッシュメモリ等で構成されており、ＣＰＵ１０による各種のコンピュータプログラムの実行時に発生するデータを一時的に記憶する。
【００２８】
また、センタ側コンピュータ１は、ＣＤ−ＲＯＭ等の記録媒体１８ａから本発明のコンピュータプログラムである搬送経路決定処理プログラム、搬送情報取得処理プログラム及び搬送情報提供処理プログラム等を外部記憶装置１８にて読み取り、読み取ったコンピュータプログラムをＨＤ１１に記憶する。従って、ＣＰＵ１０は、記録媒体１８ａから読み取り、ＨＤ１１に記憶してあるコンピュータプログラムに基づく処理も、上述した制御プログラムと同様に実行可能である。
【００２９】
上述した構成のセンタ側コンピュータ１は、後述するように、船主側コンピュータ２から船主が注文した部品の注文情報を、倉庫側コンピュータ３から各管理倉庫への部品の出入庫情報及び出荷指示情報を、通信インタフェース１６を取得手段として受信するように構成してあり、夫々受信した注文情報、出入庫情報及び出荷指示情報は、記憶手段としてのＨＤ１１に物流データ（搬送情報）として記憶される。尚、この物流データは、ＨＴＭＬ（Ｈｙｐｅｒ  Ｔｅｘｔ  Ｍａｒｋｕｐ  Ｌａｎｇｕａｇｅ）にて記載されたファイルとして記憶してあり、外部のコンピュータからウェブページとしての閲覧が可能である。
【００３０】
ここで、部品メーカーは、船主から部品が注文された場合、製造した前記部品、又は前記部品の在庫を、当該部品を搬送する運送業者が所有する管理倉庫のうちの最寄の管理倉庫へ納品する。また、物流情報管理センタにおいて、管理者は、部品メーカーから、船主の注文に従って部品メーカーが納品した部品に関する納品情報を示す納品票を取得しており、取得した納品票が示す納品情報を物流情報管理システム１００に入力すべく、センタ側コンピュータ１を利用する。
具体的には、センタ側コンピュータ１において、ＣＰＵ１０は、管理者によるキーボード１３又はマウス１４の操作に基づいてＨＤ１１に記憶してあるウェブブラウザを実行し、ＨＤ１１に記憶してある所定のウェブページによる納品情報入力画面をディスプレイ１５に表示させる。
【００３１】
納品情報入力画面は、図４（ｃ）に示すように、船主から注文された部品を運送業者へ納品した納品メーカーである部品メーカー名、当該部品メーカーが発行した発注票の発注票番号、前記船主の船主名、当該部品の搬送先である船名、当該部品が納品された納品日、及び納品場所の納品倉庫場所、当該部品の納品個数、納品重量、納品サイズ、及び通貨単位を含めた金額等を入力するように構成してあり、物流情報管理センタの管理者は、部品メーカーから取得した納品票に基づいて、キーボード１３又はマウス１４を用いて各項目を入力する。
従って、キーボード１３又はマウス１４は、管理者により入力される納品情報を受け付ける第２受付手段として動作し、このように入力された納品情報は、ＨＤ１１において物流データとして管理される。
【００３２】
更に、センタ側コンピュータ１は、複数の管理倉庫間において予め設定された搬送経路を示す経路情報を経路記憶手段としてのＨＤ１１に記憶しており、ＣＰＵ１０は、受信した注文情報及び納品情報に基づいて、部品メーカーが前記部品を納品した納品先である管理倉庫から、搬送先である船舶４，４…が停泊する予定の港の近傍の管理倉庫までの搬送経路を決定する決定手段として動作する。尚、決定された搬送経路は、実際に部品を搬送する車両、船舶、飛行機等の運転者に指示され、各運転者が、指示された搬送経路に従って各部品を所定の管理倉庫まで搬送する。
【００３３】
一方、船主側コンピュータ２は、図２に示すように、ＣＰＵ２０、ＨＤ２１、ＲＡＭ２２、キーボード２３、マウス２４、ディスプレイ２５、ネットワークＮを介して通信を行うための通信インタフェース２６等を備えている。
ＣＰＵ２０は、バス２７を介して上述したようなハードウェア各部と接続しており、バス２７を介して上述したハードウェア各部を制御すると共に、ＨＤ２１に格納されたコンピュータプログラムを順次実行する。
【００３４】
ＨＤ２１は、船主側コンピュータ２としての動作に必要な種々のコンピュータプログラム（図示せず）、ネットワークＮを介して所望のウェブページを取得するウェブ閲覧処理プログラムであるウェブブラウザ等を記憶している。
ＲＡＭ２２は、ＳＲＡＭ，ＤＲＡＭ，フラッシュメモリ等で構成されており、ＣＰＵ２０による前記コンピュータプログラムの実行時に発生するデータを一時的に記憶する。
【００３５】
ここで、船主は、図１に示すように、自身が管理する各船舶４，４…と無線通信を行なうことが可能であり、無線通信にて各船舶４，４…から必要な部品の購入指示を取得した場合、対応する部品メーカーに、指示された部品の注文を行なう。また、船主は、注文を行なった部品に関する注文情報を、物流情報管理システム１００に入力すべく、船主側コンピュータ２を利用する。
具体的には、船主側コンピュータ２において、ＣＰＵ２０は、船主によるキーボード２３又はマウス２４の操作に基づいてＨＤ２１に記憶してあるウェブブラウザを実行し、センタ側コンピュータ１から所定のウェブページを取得し、このウェブページによる注文情報入力画面をディスプレイ２５に表示する。
【００３６】
注文情報入力画面は、図４（ａ）に示すように、船主が各部品メーカーに注文した際に、各部品メーカーが発行した発注票の発注票番号、注文した部品の提供先である船名、当該部品の総重量、当該部品の提供先までの搬送方法、指定到着日、搬送先の地名、及び搬送先における管理倉庫場所等を入力するように構成してあり、船主は、部品メーカーが発行した発注票に基づいて、キーボード２３又はマウス２４にて各項目を入力する。
従って、キーボード２３又はマウス２４は、船主により入力される注文情報を受け付ける第１受付手段として動作し、このように入力された注文情報は、通信インタフェース２６を介してセンタ側コンピュータ１へ送信され、センタ側コンピュータ１のＨＤ１１において物流データとして管理される。
【００３７】
また、船主は、自身が管理する船舶４，４…が輸送する貨物の輸送日程及び世界情勢等を考慮して、船舶４，４…の輸送経路の変更があるか否かを把握しており、万が一輸送経路に変更がある場合、変更すべき輸送経路上において、自身が注文した前記船舶４，４…に係る部品の引渡し場所を再度検討して、前記部品の搬送先の変更を行なう。前記部品の搬送先を変更する必要がある場合、船主は、船主側コンピュータ２のキーボード２３又はマウス２４を利用し、ＣＰＵ２０にＨＤ２１に記憶してあるウェブブラウザを実行させて、センタ側コンピュータ１から所定のウェブページを取得し、このウェブページによる変更注文情報入力画面をディスプレイ２５に表示する。
【００３８】
変更注文情報入力画面は、図４（ｂ）に示すように、船主が前記部品を注文した際の発注票の発注票番号、前記船主の船主名、注文した部品の提供先である船名、上述した注文情報入力画面にて先立って入力した搬送先である変更前搬送先、変更したい搬送先である変更後搬送先、及び変更後搬送先における管理倉庫場所等を入力するように構成してあり、船主はキーボード２３又はマウス２４にて各項目を入力する。
従って、キーボード２３又はマウス２４は、船主により入力される変更注文情報を受け付ける変更受付手段として動作し、このように入力された変更注文情報は、通信インタフェース２６を介してセンタ側コンピュータ１へ送信され、センタ側コンピュータ１のＨＤ１１において物流データとして管理される。
【００３９】
また、センタ側コンピュータ１において、ＣＰＵ１０は、上述のように船主側コンピュータ１から変更注文情報を受信した場合、その時点でＨＤ１１に記憶してある物流データが示す現在位置と、前記変更注文情報が示す変更後の搬送先とに基づいて、前記部品の搬送経路を変更する手段として動作する。尚、搬送経路が変更された場合には、前記部品を搬送する車両、船舶、飛行機等の運転者に搬送経路の変更が指示され、各運転者は、指示された搬送経路に従って各部品を搬送する。
【００４０】
倉庫側コンピュータ３は、船主側コンピュータ２の構成と同様の構成を有しており、図３に示すように、ＣＰＵ３０、ＨＤ３１、ＲＡＭ３２、キーボード３３、マウス３４、ディスプレイ３５、ネットワークＮを介して通信を行うための通信インタフェース３６等を備えており、ＣＰＵ３０は、バス３７を介して倉庫側コンピュータ３の上述したようなハードウェア各部を制御すると共に、ＨＤ３１に格納されたコンピュータプログラムを順次実行する。
また、ＨＤ３１は、倉庫側コンピュータ３としての動作に必要な種々のコンピュータプログラム（図示せず）だけでなく、ネットワークＮを介して所望のウェブページを取得するウェブ閲覧処理プログラムであるウェブブラウザ等を記憶している。
【００４１】
また、管理倉庫において、上述したように各部品メーカーから各部品が納品された場合、管理倉庫における管理者は、当該部品の入庫情報を、物流情報管理システム１００に入力すべく、倉庫側コンピュータ３を利用する。
具体的には、倉庫側コンピュータ３において、ＣＰＵ３０は、管理者によるキーボード３３又はマウス３４の操作に基づいてＨＤ３１に記憶してあるウェブブラウザを実行し、センタ側コンピュータ１から所定のウェブページを取得し、このウェブページによる入庫情報入力画面をディスプレイ３５に表示する。
【００４２】
入庫情報入力画面は、図５（ａ）に示すように、当該管理倉庫の場所、入庫された部品に係る発注票の発注票番号、当該部品の搬送先である船名、当該部品が納品された入庫日、当該部品が搬送されてきた搬送元、当該部品の個数、重量、サイズ、及び通貨単位を含めた金額等を入力するように構成してあり、管理倉庫の管理者はキーボード３３又はマウス３４を用いて各項目を入力する。
従って、キーボード３３又はマウス３４は、管理者により入力される入庫情報を受け付ける第３受付手段として動作し、このように入力された入庫情報は、通信インタフェース３６を介してセンタ側コンピュータ１へ送信され、センタ側コンピュータ１のＨＤ１１において物流データとして管理される。
【００４３】
ここで、管理倉庫は、搬送される部品の搬送経路において、当該部品を次の管理倉庫へ搬送するまでの一時的な保存場所として機能する場合と、当該部品を最終ユーザとしての船舶４，４…へ提供するまでの出荷場所として機能する場合とがあり、一時的な保存場所としての管理倉庫において、当該部品が出庫される場合には、管理倉庫における管理者は、上述した入庫情報と同様に、センタ側コンピュータ１から提供された、図５（ｂ）に示すような出庫情報入力画面に従って、当該部品の出庫情報を、倉庫側コンピュータ３を用いて物流情報管理システム１００に入力する。
また、出荷場所としての管理倉庫において、当該部品が出荷される場合には、管理倉庫における管理者は、センタ側コンピュータ１から提供された、図５（ｃ）に示すような出荷指示情報入力画面に従って、当該部品の船舶４，４…への出荷指示情報を、倉庫側コンピュータ３を用いて物流情報管理システム１００に入力する。
【００４４】
尚、上述した出庫情報及び出荷指示情報も、倉庫側コンピュータ３における通信インタフェース３６を介してセンタ側コンピュータ１へ送信され、センタ側コンピュータ１のＨＤ１１において物流データとして管理されており、外部のコンピュータからウェブページとしての閲覧が可能である。
上述したように、船主が注文した部品の注文情報、部品メーカーが運送業者に納品した部品の納品情報、各管理倉庫において出入庫される部品の出入庫情報及び出荷指示情報をセンタ側コンピュータ１において管理することにより、部品メーカーから船舶４，４…へ搬送される各部品の、夫々の搬送経路上の現在位置とともに、各位置での搬送状態、例えば、管理倉庫における管理状態、車両、船舶又は飛行機による搬送中状態であるかを把握することができる。
【００４５】
図６はセンタ側コンピュータ１が提供するウェブページによる現在状況確認画面の構成例を示す図であり、現在状況確認画面は、船主から注文された部品の、搬送先である船名、当該部品の発注票番号、搬送状態、該搬送状態の最新更新日、最新の管理倉庫場所、当該部品の重量、個数、金額、通貨単位及び納品メーカーである部品メーカー等を示している。
センタ側コンピュータ１は、ネットワークＮを介して、船主側コンピュータ２又は倉庫側コンピュータ３等からの要求に応じて、図６に示すような、現在状況確認画面を提供することにより、船主又は管理倉庫の管理者等は、夫々の部品の搬送状態を正確に把握することができる。
【００４６】
具体的に、例えば、船名ＡＡＡに搬送される発注番号１１１１１の部品は、現在、神戸の管理倉庫にて出荷待ち状態であり、船名ＢＢＢに搬送される発注番号２２２２２の部品は、現在、神戸の管理倉庫から次の管理倉庫への搬送中状態であり、船名ＣＣＣに搬送される発注番号３３３３３の部品は、現在、プサンの管理倉庫において次の管理倉庫への搬送待ち状態であることを示している。
【００４７】
以下に、上述した構成の物流情報管理システム１００において搬送される船舶４，４…に係る部品の搬送状態の管理処理について説明する。図７及び図８は本発明に係る物流情報管理システム１００において搬送される船舶４，４…に係る部品の搬送状態の管理処理手順を示すフローチャートである。
物流情報管理システム１００において、船舶４，４…に係る部品を注文した船主が、船主側コンピュータ２のキーボード２３又はマウス２４を操作して、ＨＤ２１のウェブブラウザをＣＰＵ２０に実行させることにより、ＣＰＵ２０は、センタ側コンピュータ１に注文情報入力画面を提供するウェブページを要求する（Ｓ１）。
【００４８】
センタ側コンピュータ１のＣＰＵ１０は、要求されたウェブページをＨＤ１１から読み出して船主側コンピュータ２へ送信し（Ｓ２）、船主側コンピュータ２のＣＰＵ２０は、受信したウェブページに基づいて、図４（ａ）に示すような注文情報入力画面をディスプレイ２５に表示する（Ｓ３）。尚、船主が、前記部品の搬送経路を変更したい場合には、同様の方法にて、変更注文情報入力画面を表示させる。
船主は、注文情報入力画面の指示に従って各項目をキーボード２３を用いて入力して登録ボタンをマウス２４にてオンする。
【００４９】
ＣＰＵ２０は、登録ボタンがオンされたか否かを判断しており（Ｓ４）、登録ボタンがオンされない場合（Ｓ４：ＮＯ）、例えばキャンセルボタンがオンされた場合には、注文情報の入力処理を終了する。
一方、登録ボタンがオンされた場合（Ｓ４：ＹＥＳ）、ＣＰＵ２０は、船主により入力された注文情報をセンタ側コンピュータ１へ送信し（Ｓ５）、センタ側コンピュータ１のＣＰＵ１０は、受信した注文情報をＨＤ１１に物流データとして記憶させる（Ｓ６）。
【００５０】
一方、物流情報管理システム１００において、物流情報管理センタの管理者は、船主の注文に係る部品を部品メーカーから納品された場合、センタ側コンピュータ１のキーボード１３又はマウス１４を操作して、ＨＤ１１のウェブブラウザをＣＰＵ１０に実行させており、ＣＰＵ１０は、管理者からの納品情報入力画面の表示が指示されたか否かを判断し（Ｓ７）、納品情報入力画面の表示が指示された場合（Ｓ７：ＹＥＳ）、ＨＤ１１から対応するウェブページを読み出し、図４（ｃ）に示すような納品情報入力画面をディスプレイ１５に表示させる（Ｓ８）。尚、ＣＰＵ１０は、管理者により納品情報入力画面の表示が指示されていない場合（Ｓ７：ＮＯ）、ステップＳ１２の処理を行なう。
【００５１】
物流情報管理センタの管理者は、部品メーカーから取得した納品票に基づいて、納品情報入力画面の指示に従って各項目をキーボード１３を用いて入力して登録ボタンをマウス１４にてオンする。
ＣＰＵ１０は、登録ボタンがオンされたか否かを判断しており（Ｓ９）、登録ボタンがオンされない場合（Ｓ９：ＮＯ）、例えばキャンセルボタンがオンされた場合には、納品情報の入力処理を終了する。また、登録ボタンがオンされた場合（Ｓ９：ＹＥＳ）、ＣＰＵ１０は、入力された納品情報をＨＤ１１に物流データとして記憶させる（Ｓ１０）。
【００５２】
更に、各部品が搬送される搬送経路上の管理倉庫においては、各部品が入庫された場合に、管理者が、倉庫側コンピュータ３のキーボード３３又はマウス３４を操作して、ＨＤ３１のウェブブラウザをＣＰＵ３０に実行させることにより、ＣＰＵ３０は、センタ側コンピュータ１に入庫情報入力画面を提供するウェブページを要求する（Ｓ１１）。
【００５３】
センタ側コンピュータ１のＣＰＵ１０は、要求されたウェブページをＨＤ１１から読み出して倉庫側コンピュータ３へ送信し（Ｓ１２）、倉庫側コンピュータ３のＣＰＵ３０は、受信したウェブページに基づいて、図５（ａ）に示すような入庫情報入力画面をディスプレイ３５に表示する（Ｓ１３）。尚、管理倉庫において、各部品が出庫された場合、又は出荷された場合にも、同様の方法にて、夫々出庫情報入力画面又は出荷指示情報入力画面を表示させる。
管理倉庫の管理者は、入庫情報入力画面の指示に従って各項目をキーボード３３を用いて入力して登録ボタンをマウス３４にてオンする。
【００５４】
ＣＰＵ３０は、登録ボタンがオンされたか否かを判断しており（Ｓ１４）、登録ボタンがオンされない場合（Ｓ１４：ＮＯ）、例えばキャンセルボタンがオンされた場合には、入庫情報の入力処理を終了する。
また、登録ボタンがオンされた場合（Ｓ１４：ＹＥＳ）、ＣＰＵ３０は、管理者により入力された入庫情報をセンタ側コンピュータ１へ送信し（Ｓ１５）、センタ側コンピュータ１のＣＰＵ１０は、受信した入庫情報をＨＤ１１に物流データとして記憶させる（Ｓ１６）。
【００５５】
ここで、センタ側コンピュータ１のＣＰＵ１０は、上述したような各情報の取得処理及び記憶処理とは別に、発注票番号が示す各部品についての発注情報及び納品情報を取得した場合には、夫々の部品を、納品場所の管理倉庫から搬送先の管理倉庫までの搬送経路を決定するように動作しており、決定した搬送経路にて前記部品が搬送されるように、前記搬送経路上の車両、船舶及び飛行機の運転者に指示がなされる。
【００５６】
このように、船舶４，４…に係る部品を注文した船主からの注文情報、前記部品を運送業者へ納品した部品メーカーから取得した納品票が示す納品情報、管理倉庫における前記部品の出入庫情報及び出荷指示情報をセンタ側コンピュータ１において管理することにより、船主、部品メーカーの担当者及び管理倉庫の管理者等の要求に応じて、図６に示すような現在状況確認画面にて、夫々の部品の現在位置を報知することが可能となり、船主、部品メーカーの担当者及び管理倉庫の管理者における部品の管理処理負担を軽減することができる。
【００５７】
上述した実施の形態では、船主が、船主側コンピュータ２を介して注文情報を入力し、管理倉庫の管理者が、倉庫側コンピュータ３を介して出入庫情報及び出荷指示情報を入力するように構成してあるが、納品情報と同様に、全ての情報をセンタ側コンピュータ１へ直接入力するような構成としても同様の効果が得られる。
【００５８】
【発明の効果】
本発明による場合は、第２コンピュータが、第１コンピュータが送信した注文情報、及び自身が受け付けた納品情報に基づいて、船舶に係る物品を船舶まで搬送する搬送経路を決定し、決定された前記搬送経路に沿って搬送される前記物品の搬送情報を取得して管理する。また、外部からの要求に応じて前記搬送情報を提供することにより、物品の注文主又は販売業者等が、各物品の前記船舶までの搬送経路上の搬送状態を把握することができるとともに、前記物品の搬送経路上における管理処理を軽減することができる。
【００５９】
本発明による場合は、第２コンピュータが、第３コンピュータが送信した出入庫情報を記憶して管理しておくことにより、各物品の前記船舶までの搬送経路上の現在位置とともに、搬送経路上の管理倉庫における各物品の管理状態を確実に把握することができる。
【００６０】
本発明による場合は、第２コンピュータが、受け付けた納品情報に含まれる納品先から、第１コンピュータから受信した注文情報に含まれる搬送先までの搬送経路を決定することにより、前記部品の販売業者より前記物品を納品された管理倉庫から、前記物品を提供すべき船舶までの搬送経路を効率よく決定することができる。
【００６１】
また、本発明による場合は、例えば、当該物品を搬送すべき搬送先である船舶において、該船舶が輸送している貨物の輸送経路が急遽変更等され、前記物品を搬送すべき搬送先が変更された場合に、この搬送先が変更された変更注文情報を注文主の第１コンピュータが受け付け、受け付けた変更注文情報を第２コンピュータに送信する。第２コンピュータが、受信した変更注文情報及び当該物品の搬送情報が示す現在位置に基づいて前記物品を搬送すべき搬送経路を変更することにより、先立って決定された搬送経路に沿って搬送中の物品においても、搬送経路の変更が可能となり、急遽変更された輸送経路上の港において、対応する船舶への前記物品の提供を行なうことができる。
【００６２】
更に、本発明による場合は、第２コンピュータが、予め設定された複数の管理倉庫間における搬送経路を示す経路情報を記憶しておき、上述したような各物品の搬送経路を、前記経路情報に基づいて決定することにより、各物品の搬送経路の決定処理を簡略化することができる。
【００６３】
本発明による場合は、コンピュータにて構成される物流情報管理装置が、上述したような注文情報、納品情報、管理倉庫への出入庫情報を取得し、また、各物品の搬送経路の決定処理等を行なうことにより、上述した第１コンピュータ、第２コンピュータ、及び第３コンピュータを１つのコンピュータにて実現することも可能であり、また、前記物流情報管理装置としての動作を実現するためのコンピュータプログラムを汎用品であるパーソナルコンピュータに読み込ませて実行させることにより、パーソナルコンピュータにおいても同様の機能を実現することができる。
【図面の簡単な説明】
【図１】本発明に係る物流情報管理システムの構成を示す模式図である。
【図２】本発明に係る物流情報管理システムの構成を示すブロック図である。
【図３】本発明に係る物流情報管理システムの構成を示すブロック図である。
【図４】センタ側コンピュータが提供するウェブページの構成例を示す図である。
【図５】センタ側コンピュータが提供するウェブページの構成例を示す図である。
【図６】センタ側コンピュータが提供する現在状況確認画面の構成例を示す図である。
【図７】本発明に係る物流情報管理システムにおける船舶に係る部品の搬送状態の管理処理手順を示すフローチャートである。
【図８】本発明に係る物流情報管理システムにおける船舶に係る部品の搬送状態の管理処理手順を示すフローチャートである。
【符号の説明】
１００  物流情報管理システム
１  センタ側コンピュータ（第２コンピュータ、物流情報管理装置）
１０  ＣＰＵ（決定手段）
１１  ＨＤ（記憶手段、経路記憶手段）
１３  キーボード（第２受付手段）
１４  マウス（第２受付手段）
１６  通信インタフェース（取得手段）
２  船主側コンピュータ（第１コンピュータ）
２３  キーボード（第１受付手段、変更受付手段）
２４  マウス（第１受付手段、変更受付手段）
３  倉庫側コンピュータ（第３コンピュータ）
３３  キーボード（第３受付手段）
３４  マウス（第３受付手段）
【図１】
2005022790.tif 000003
【図２】
2005022790.tif 000004
【図３】
2005022790.tif 000005
【図４】
2005022790.tif 000006
【図５】
2005022790.tif 000007
【図６】
2005022790.tif 000008
【図７】
2005022790.tif 000009
【図８】
2005022790.tif 000010